(57)【要約】【課題】施工容易で施工後も配線作業を容易に行うことができるコンパクトな表示装置の設置装置を提供する。【解決手段】設置装置１０は、間隔を空けて壁面Ｗに取り付けられた上下方向に延びる一対の縦桟２１，２１と、該一対の縦桟２１，２１の壁面Ｗの逆側において上下方向に並べられ、該一対の縦桟２１，２１にそれぞれ取り付けられて壁面Ｗに沿う壁体を構成する複数の壁構成材３１，３２，３３ｂ，３４，３５とを備えている。複数の壁構成材の１つの第２パネル３２には、一対の縦桟２１，２１と上記壁体と壁面Ｗとで区画される収容空間に開口する薄型テレビ１の配線用の挿通孔３２ａ，３２ａが形成されている。また、複数の壁構成材のうちの最下の第３パネル３５は、収容空間の下部前面を開閉可能に構成されている。【選択図】図１
2020140179.tif 000002
【特許請求の範囲】
【請求項１】
表示装置を壁面に沿わせて設置する表示装置の設置装置であって、
間隔を空けて上記壁面に取り付けられた上下方向に延びる一対の縦桟と、
上記一対の縦桟の上記壁面の逆側において上下方向に並べられ、該一対の縦桟にそれぞれ取り付けられて上記壁面に沿う壁体を構成する複数の壁構成材とを備え、
上記複数の壁構成材の１つには、上記一対の縦桟と上記壁体と上記壁面とで区画される収容空間に開口する上記表示装置の配線用の挿通孔が形成され、
上記複数の壁構成材のうちの最下の壁構成材は、上記収容空間の下部前面を開閉可能に構成されている
ことを特徴とする表示装置の設置装置。
【請求項２】
請求項１において、
上記一対の縦桟は、床面との間に配線を挿通可能な隙間が形成されるように、上記壁面に取り付けられている
ことを特徴とする表示装置の設置装置。
【請求項３】
請求項１又は２において、
上記一対の縦桟は、接着剤で上記壁面に接着されている
ことを特徴とする表示装置の設置装置。
【請求項４】
請求項３において、
上記一対の縦桟と上記最下の壁構成材の一方には磁石が設けられ、他方には該磁石に吸着する吸着部材が設けられ、
上記最下の壁構成材は、上記磁石と上記吸着部材との間に作用する磁力によって上記一対の縦桟に取り付けられている
ことを特徴とする表示装置の設置装置。
【請求項５】
請求項１乃至４のいずれか１つにおいて、
上記複数の壁構成材の少なくとも１つには、棚板が固定されている
ことを特徴とする表示装置の設置装置。
【発明の詳細な説明】
【技術分野】
【０００１】
本発明は、薄形テレビやモニター等の表示装置を壁面に沿わせて設置する表示装置の設置装置に関するものである。
【背景技術】
【０００２】
従来、大型の薄型テレビや大型のモニターを壁面に沿わせるように設置する設置装置が提案されている（例えば、特許文献１を参照）。
【０００３】
特許文献１の設置装置は、複数の正面板と、左右の側面板と、複数の正面板及び側面板を壁面に取り付けるための多数のコ字状のスペーサとで構成されるスペースユニットを備え、該スペースユニットの正面板の１つに表示装置を取り付けることにより、表示装置を壁面に沿わせるように設置するものである。上記設置装置では、スペースユニットで壁面前に、高さ２５００ｍｍ、幅１６００ｍｍ、奥行き１００ｍｍのスペースを区画することにより、正面板に取り付けた表示装置の配線をスペーサユニット内部に収納できるようにしている。
【先行技術文献】
【特許文献】
【０００４】
【特許文献１】特開２０１０−６２７９６号公報
【発明の概要】
【発明が解決しようとする課題】
【０００５】
しかしながら、上述の表示装置の設置装置では、スペーサユニットの複数の正面板及び側面板をそれぞれ多数のスペーサを用いて壁面に取り付けなければならず、施工に手間がかかっていた。また、上記表示装置の設置装置では、一旦施工すると、スペーサユニットの外部から内部の配線に容易にアクセスできない構成であるため、表示装置を新しいものに取り替える際や視聴覚機器を増設する際に配線作業を容易に行えなかった。さらに、側面板を有するスペーサユニットでは、奥行きが大きく、室内空間を狭くしていた。
【０００６】
本発明は、かかる点に鑑みてなされたものであり、その目的は、施工容易で施工後も配線作業を容易に行うことができるコンパクトな表示装置の設置装置を提供することにある。
【課題を解決するための手段】
【０００７】
上記の目的を達成するために、本発明では、壁面に取り付けた一対の縦桟に上下方向に並ぶ複数の壁構成材を取り付けて壁面に沿う壁体を構成することにより、壁体と壁面との間に奥行きの小さい配線収容空間を形成すると共に、最下の壁構成材を上記配線収容空間の下部前面を開閉可能に構成した。
【０００８】
具体的には、第１の発明は、表示装置を壁面に沿わせて設置する表示装置の設置装置を前提としている。
【０００９】
そして、第１の発明に係る表示装置の設置装置は、間隔を空けて上記壁面に取り付けられた上下方向に延びる一対の縦桟と、上記一対の縦桟の上記壁面の逆側において上下方向に並べられ、該一対の縦桟にそれぞれ取り付けられて上記壁面に沿う壁体を構成する複数の壁構成材とを備え、上記複数の壁構成材の１つには、上記一対の縦桟と上記壁体と上記壁面とで区画される収容空間に開口する上記表示装置の配線用の挿通孔が形成され、上記複数の壁構成材のうちの最下の壁構成材は、上記収容空間の下部前面を開閉可能に構成されていることを特徴とする。
【００１０】
第１の発明では、壁面に取り付けた一対の縦桟に上下方向に並ぶ複数の壁構成材を取り付けて壁面に沿う壁体を構成し、該壁体を構成する１つの壁構成材に、該壁体と壁面との間に形成される収容空間に開口する表示装置の配線用の挿通孔を形成した。このような構成により、複数の壁構成材で構成される壁体と壁面との間には、一対の縦桟分の厚さの扁平な収容空間が形成される。また、表示装置の配線用の挿通孔がこの収容空間に開口するため、挿通孔が形成された壁構成材に表示装置を取り付けることにより、表示装置に繋がる種々の配線を挿通孔から収容空間に導き、該収容空間に収容させることができる。よって、第１の発明に係る表示装置の設置装置によれば、表示装置に繋がる配線を露出させることなく、表示装置を見た目良く壁面に沿わせて設置することができる。
【００１１】
また、第１の発明では、壁面に沿う壁体を構成する複数の壁構成材のうちの最下の壁構成材が、収容空間の下部前面を開閉可能に構成されている。そのため、第１の発明によれば、表示装置の設置装置の設置後であっても、収容空間の下部を容易に露出させることができるため、収容空間に収容された表示装置の配線類に容易にアクセスすることができる。そのため、表示装置を新しいものに取り替えたり、別の視聴覚機器を増設したりする際に、その配線作業を容易に行うことができる。
【００１２】
また、第１の発明によれば、壁面に取り付けられる一対の縦桟と、該一対の縦桟に複数の壁構成材を取り付けて壁面に沿う壁体を構成することにより、壁体と壁面との間に、一対の縦桟分の薄い扁平な空間を形成し、該空間を表示装置の配線を収容する収容空間として用いることとしている。このような構成により、従来よりも設置装置をコンパクトに形成することができる。
【００１３】
以上により、第１の発明によれば、従来よりも施工容易で施工後も配線作業を容易に行うことができるコンパクトな表示装置の設置装置を提供することができる。
【００１４】
第２の発明は、第１の発明において、上記一対の縦桟は、床面との間に配線を挿通可能な隙間が形成されるように、上記壁面に取り付けられていることを特徴とするものである。
【００１５】
第２の発明では、一対の縦桟が、床面との間に隙間が形成されるように、床面から浮かせた状態で壁面に取り付けられている。そのため、表示装置の配線類が収容される収容空間内に電源コンセントやアンテナ線の接続部がない場合に、縦桟と床面との間の隙間を利用することにより、表示装置の配線を設置装置の外部に引き出し、外部の電源コンセントやアンテナ線の接続部に接続することができる。
【００１６】
第３の発明は、第１又は第２の発明において、上記一対の縦桟は、接着剤で上記壁面に接着されていることを特徴とするものである。
【００１７】
第３の発明では、一対の縦桟を、接着剤で壁面に接着することとしたため、壁面の下地がない箇所にも容易に縦桟を取り付けることができる。つまり、表示装置の設置装置を壁面の下地のない箇所にも据え付けることができる。
【００１８】
第４の発明は、第３の発明において、上記一対の縦桟と上記最下の壁構成材の一方には磁石が設けられ、他方には該磁石に吸着する吸着部材が設けられ、上記最下の壁構成材は、上記磁石と上記吸着部材との間に作用する磁力によって上記一対の縦桟に取り付けられていることを特徴とするものである。
【００１９】
第４の発明では、最下の壁構成材が、磁石とこれに吸着する吸着部材との間に作用する磁力（吸引力）によって一対の縦桟に取り付けられるように構成されている。そのため、最下の壁構成材を引っ張るだけで、最下の壁構成材を容易に一対の縦桟から取り外すことができる。つまり、第４の発明によれば、磁石と吸着部材を用いた容易な構成により、最下の壁構成材を一対の縦桟に着脱自在に取り付けることができ、この構成により、容易に収容空間の下部前面を開け閉めすることができる。
【００２０】
第５の発明は、第１乃至第４のいずれか１つの発明において、上記複数の壁構成材の少なくとも１つには、棚板が固定されていることを特徴とするものである。
【００２１】
第５の発明では、複数の壁構成材の少なくとも１つに棚板が固定されている。そのため、第５の発明によれば、表示装置だけでなく、その他の視聴覚機器等の設置も可能となる。
【発明の効果】
【００２２】
本発明によれば、壁面に取り付けた一対の縦桟に上下方向に並ぶ複数の壁構成材を取り付けて壁面に沿う壁体を構成することにより、壁体と壁面との間に奥行きの小さい配線収容空間を形成すると共に、最下の壁構成材を上記配線収容空間の下部前面を開閉可能に構成したため、従来よりも施工容易で施工後も配線作業を容易に行うことができるコンパクトな表示装置の設置装置を提供することができる。
【図面の簡単な説明】
【００２３】
【図１】図１は、本発明の実施形態１に係る設置装置の正面図である。
【図２】図２は、本発明の実施形態１に係る設置装置の支持フレームの正面図である。
【図３】図３は、図１のIII−III線方向の断面図である。
【図４】図４は、図１のIV−IV線方向の断面図である。
【図５】図５は、本発明の実施形態１に係る設置装置の分解斜視図である。
【発明を実施するための形態】
【００２４】
以下、本発明の実施形態を図面に基づいて詳細に説明する。なお、以下の実施形態では、本発明に係る表示装置の設置装置の一例として、薄型テレビを壁面に沿わせて設置するための設置装置１０（テレビボード）について説明する。
【００２５】
《発明の実施形態１》
図１は、実施形態１の設置装置１０の全体を示す正面図である。本実施形態１では、図１に示すように、設置装置１０は、住宅の居室等の室内空間に設けられ、表示装置としての薄型テレビ１を壁面Ｗに沿わせて設置する。
【００２６】
図１〜図５に示すように、設置装置１０は、壁面Ｗに取り付けられる支持フレーム２０と、該支持フレーム２０に取り付けられる本体部３０とを備えている。
【００２７】
図１，２，５に示すように、支持フレーム２０は、２本の縦桟２１，２１と、２本の横桟２２，２２とを有している。２本の縦桟２１，２１は、同一寸法の角材で構成されている。本実施形態１では、２本の縦桟２１，２１は、長さが２２５０ｍｍの３０ｍｍ角の木製の角材で構成されている。２本の横桟２２，２２は、同一寸法の角材で構成されている。本実施形態１では、２本の横桟２２，２２は、長さが６８０ｍｍの３０ｍｍ角の木製の角材で構成されている。
【００２８】
なお、縦桟２１及び横桟２２は、壁面Ｗへの取り付けが可能なものであれば、木質材の他、樹脂材や金属フレーム等を用いてもよく、角材でなくてもよい。また、一対の縦桟２１，２１の厚さは、薄型テレビ１（表示装置）を壁面Ｗに沿わせて設置するためのテレビボード１０（設置装置）としての強度を確保でき、後述する収容空間に配線を通すのに支障がない範囲であれば、いかなる厚さであってもよい。さらに、縦桟２１は、薄型テレビ１（表示装置）の配線が隠れる程度の高さを有する本体部３０を取り付け可能な長さが確保されれば、いかなる長さであってもよい。例えば、縦桟２１は、天井高（床面Ｆから天井面Ｃまでの高さ）に等しい長さであってもよい。
【００２９】
２本の縦桟２１，２１は、壁面Ｗ上において間隔を空けて互いに平行に上下方向に延びるように配置されている。２本の縦桟２１，２１の対向する内側面には、上部と上下方向の中央部分とに横桟２２を取り付けるためのダボ４０が嵌まるダボ孔が形成されている。各縦桟２１の壁面Ｗとは逆側の前面には、後述する本体部３０の第１パネル３１と第２パネル３２と棚受部３４とを取り付けるためのダボ４１ａ〜４１ｆが嵌まる複数のダボ孔と、後述する第３パネル３５を取り付けるための磁石５１，５２が嵌まる２つの凹部５３，５３とが形成されている。本実施形態１では、各凹部５３は、円柱形状に形成され、各凹部５３の底面には、円板形状の磁石５１が取り付けられている。
【００３０】
２本の横桟２２，２２は、壁面Ｗ上において平行に配置された２本の縦桟２１，２１の間に架け渡されている。２本の縦桟２１，２１は、後述する第２パネル３２の薄型テレビ１の配線を挿通するための挿通孔３２ａよりも上方において、２本の縦桟２１，２１の間に架け渡されている。各横桟２２の両端面には、２本の縦桟２１，２１に取り付けるためのダボ４０が嵌まるダボ孔が形成されている。
【００３１】
支持フレーム２０は、２本の縦桟２１，２１の間に、２本の横桟２２，２２をダボ４０，４０で連結することにより、梯子状に組み立てられる。具体的には、２本の横桟２２，２２は、両端面に形成されたダボ孔にダボ４０を嵌め込み、該ダボ４０を一対の縦桟２１，２１の上部と上下方向の中央部分とに形成されたダボ孔に嵌め、接着剤で接着することにより、一対の縦桟２１，２１に取り付けられる。支持フレーム２０は、このように梯子状に組み立てられた状態で、壁面Ｗに取り付けられている。本実施形態１では、支持フレーム２０は、ビス等を用いることなく接着剤のみで壁面Ｗに接着されている。なお、支持フレーム２０は、壁面Ｗの石膏ボード等の素面が剥き出しになっている部分に接着される。壁面Ｗに壁紙等の化粧材が貼り付けられている場合には、支持フレーム２０が接着される部分では、化粧材が剥がされ、素面が露出した状態で支持フレーム２０と接着される。
【００３２】
なお、本実施形態１では、接着剤として、変性シリコン系の接着剤が用いられている。しかしながら、接着剤は、これに限られない。接着剤は、本体部３０の荷重が作用しても支持フレーム２０が壁面Ｗから剥がれ落ちない接着力の強力なものであればよく、ウレタン系、エポキシ系、アクリル系の接着剤であってもよい。
【００３３】
このように、支持フレーム２０を接着剤のみで壁面Ｗに取り付けることとすると、例えば鉄筋コンクリート壁のようにビスを打ち込むことができない壁面Ｗであっても、支持フレーム２０を取り付けることができる。しかしながら、支持フレーム２０の壁面Ｗへの取り付け方は、これに限られない。支持フレーム２０は、ビスで壁面Ｗに取り付けることとしてもよく、接着剤とビスを併用して取り付けることとしてもよい。また、支持フレーム２０は、両面テープや面ファスナー等の固定手段を接着剤やビスと共に用いて壁面Ｗに取り付けることとしてもよい。
【００３４】
また、支持フレーム２０は、２本の縦桟２１，２１と床面Ｆとの間に隙間が形成されるように、床面Ｆから浮かせた状態で壁面Ｗに取り付けられている。本実施形態１では、支持フレーム２０は、２本の縦桟２１，２１と床面Ｆとの隙間が５０ｍｍ程度になるように壁面Ｗに取り付けられている。このように支持フレーム２０を床面Ｆから浮かせて設置することにより、一対の縦桟２１，２１間に挿通される薄型テレビ１の配線を隙間から外部へ引き出すことができる。
【００３５】
本体部３０は、第１パネル３１と、第２パネル３２と、棚部３３と、棚受部３４と、第３パネル３５とを有している。本体部３０の各構成部分３１〜３５は、それぞれ支持フレーム２０の一対の縦桟２１，２１に取り付けられている。
【００３６】
第１パネル３１は、プラスターボード、合板、ＭＤＦ等の基材の表面に、化粧シートや単板を貼り付けた化粧パネルによって構成されている。第１パネル３１は、一対の縦桟２１，２１から外側へはみ出すように、一対の縦桟２１，２１の間隔より幅広の化粧パネルによって構成されている。具体的には、本実施形態１では、第１パネル３１は、縦幅が５６０ｍｍ、横幅が８００ｍｍ、厚さ３００ｍｍの化粧パネルによって構成されている。第１パネル３１は、支持フレーム２０の前面上において、上下方向が縦幅方向となり、左右方向が横幅方向となるように配置されている。
【００３７】
第１パネル３１は、支持フレーム２０の上部に取り付けられている。第１パネル３１の背面には、該第１パネル３１を一対の縦桟２１，２１に取り付けるためのダボ４１ａ，４１ｂが嵌まる４つのダボ孔が形成されている。ダボ孔は、第１パネル３１の背面において、左端部の上部、左端部の下部、右端部の上部、右端部の下部の４箇所に１つずつ形成されている。第１パネル３１は、一対の縦桟２１，２１の上部に形成された各２つのダボ孔に嵌め込まれた４つのダボ４１ａ，４１ａ，４１ｂ，４１ｂを、背面に形成された４箇所のダボ孔に嵌め、接着剤で接着することにより、一対の縦桟２１，２１に取り付けられている。
【００３８】
第２パネル３２は、第１パネル３１と同様に、基材の表面に化粧シート又は単板を貼り付けた化粧パネルによって構成されている。また、第２パネル３２は、第１パネル３１と同様に、一対の縦桟２１，２１から外側へはみ出すように、一対の縦桟２１，２１の間隔より幅広の化粧パネルによって構成されている。具体的には、本実施形態１では、第２パネル３２は、縦幅が１２００ｍｍ、横幅が８００ｍｍ、厚さ３００ｍｍの化粧パネルによって構成されている。第２パネル３２は、支持フレーム２０の前面上において、上下方向が縦幅方向となり、左右方向が横幅方向となるように配置されている。
【００３９】
第２パネル３２には、配線を挿通するための２つの挿通孔３２ａ，３２ａが形成されている。２つの挿通孔３２ａ，３２ａは、一対の縦桟２１，２１の間に位置するように、第２パネル３２の横幅方向の中程に形成されている。本実施形態１では、各挿通孔３２ａは、直径８０ｍｍの円形状の孔で構成されている。なお、挿通孔３２ａの大きさ、形状及び個数はこれに限られない。第２パネル３２には、例えば、１つの１６０ｍｍ角の矩形状の挿通孔３２ａ等が形成されていてもよい。
【００４０】
第２パネル３２は、支持フレーム２０の上下方向の中程に、第１パネル３１と左右端面がそれぞれ揃うように取り付けられている。第２パネル３２の背面には、該第２パネル３２を一対の縦桟２１，２１に取り付けるためのダボ４１ｃ〜４１ｅが嵌まる６つのダボ孔が形成されている。ダボ孔は、第２パネル３２の背面において、左端部の上部、左端部の中程、左端部の下部、右端部の上部、右端部の中程、右端部の下部の６箇所に１つずつ形成されている。第２パネル３２は、一対の縦桟２１，２１の上下方向の中程に形成された各３つのダボ孔に嵌め込まれた６つのダボ４１ｃ，４１ｃ，４１ｄ，４１ｄ，４１ｅ，４１ｅを、背面に形成された６箇所のダボ孔に嵌め、接着剤で接着することにより、一対の縦桟２１，２１に取り付けられている。
【００４１】
棚部３３は、２枚の棚パネル３３ａ，３３ａと、２枚の背面パネル３３ｂ，３３ｂと、左右の側面パネル３３ｃ，３３ｃとを有している。上下に配置される２枚の棚パネル３３ａ，３３ａの間に、２枚の背面パネル３３ｂ，３３ｂと左右の側面パネル３３ｃ，３３ｃとが架け渡されるように取り付けられている。
【００４２】
２枚の棚パネル３３ａ，３３ａは、第１パネル３１と同様に、基材の表面に化粧シート又は単板を貼り付けた同一寸法の化粧パネルによって構成されている。本実施形態１では、２枚の棚パネル３３ａ，３３ａは、縦幅が３２０ｍｍ、横幅が８００ｍｍ、厚さ２００ｍｍの化粧パネルによって構成されている。２枚の棚パネル３３ａ，３３ａは、支持フレーム２０の前面上において間隔を空けて互いに平行に配置されている。２枚の棚パネル３３ａ，３３ａは、支持フレーム２０の前面上において、前後方向が縦幅方向となり、左右方向が横幅方向となるように配置されている。
【００４３】
２枚の棚パネル３３ａ，３３ａの対向面（上側の棚パネル３３ａの下面と下側の棚パネル３３ａの上面）には、２枚の背面パネル３３ｂ，３３ｂを２枚の棚パネル３３ａ，３３ａに取り付けるためのダボ４３が嵌まる４つのダボ孔が形成されている。ダボ孔は、各棚パネル３３ａの対向面において、後端部の左側と右側とに２つずつ計４つ形成されている。また、２枚の棚パネル３３ａ，３３ａの対向面（上側の棚パネル３３ａの下面と下側の棚パネル３３ａの上面）には、左右の側面パネル３３ｃ，３３ｃを２枚の棚パネル３３ａ，３３ａに取り付けるためのダボ４３が嵌まる４つのダボ孔が形成されている。ダボ孔は、各棚パネル３３ａの対向面において、左端部の前部、左端部の後部、右端部の前部、右端部の後部の４箇所に１つずつ形成されている。
【００４４】
２枚の背面パネル３３ｂ，３３ｂは、第１パネル３１と同様に、基材の表面に化粧シート又は単板を貼り付けた同一寸法の化粧パネルによって構成されている。本実施形態１では、２枚の背面パネル３３ｂ，３３ｂは、縦幅が１５４ｍｍ、横幅が３００ｍｍ、厚さ１５０ｍｍの化粧パネルによって構成されている。２枚の背面パネル３３ｂ，３３ｂは、支持フレーム２０の前面上において、上下方向が縦幅方向となり、左右方向が横幅方向となるように配置されている。
【００４５】
２枚の背面パネル３３ｂ，３３ｂは、背面が２枚の棚パネル３３ａ，３３ａの後端面と面一になるように、２枚の棚パネル３３ａ，３３ａに取り付けられている。各背面パネル３３ｂの上端面と下端面とには、該背面パネル３３ｂを２枚の棚パネル３３ａ，３３ａに取り付けるためのダボ４３が嵌まる２つのダボ孔が形成されている。ダボ孔は、各背面パネル３３ｂの上端面と下端面において、左右２箇所に１つずつ形成されている。２枚の背面パネル３３ｂ，３３ｂは、上側の棚パネル３３ａの下面に形成された各２つのダボ孔に嵌め込まれた２つのダボ４３，４３を、上端面に形成された２箇所のダボ孔に嵌めて接着剤で接着し、下側の棚パネル３３ａの上面に形成された各２つのダボ孔に嵌め込まれた２つのダボ４３，４３を、下端面に形成された２箇所のダボ孔に嵌めて接着剤で接着することにより、２枚の棚パネル３３ａ，３３ａに取り付けられている。
【００４６】
２枚の背面パネル３３ｂ，３３ｂは、横幅が２枚の棚パネル３３ａ，３３ａの横幅の半分の長さよりも短く形成されている。そのため、２枚の背面パネル３３ｂ，３３ｂを２枚の棚パネル３３ａ，３３ａの間において、左右端部にそれぞれ詰めて配置すると、２枚の背面パネル３３ｂ，３３ｂの間には、パネル部材で覆われずに壁面Ｗを露出させる開口３３ｄが形成される。詳細については後述するが、開口３３ｄは、棚部３３に設けられたＤＶＤレコーダ等の視聴覚機器の配線を挿通させるための開口となる。
【００４７】
２枚の側面パネル３３ｃ，３３ｃは、第１パネル３１と同様に、基材の表面に化粧シート又は単板を貼り付けた同一寸法の化粧パネルによって構成されている。本実施形態１では、２枚の側面パネル３３ｃ，３３ｃは、背面パネル３３ｂ，３３ｂと同一寸法に形成されている。即ち、２枚の側面パネル３３ｃ，３３ｃは、縦幅が１５４ｍｍ、横幅が３００ｍｍ、厚さ１５０ｍｍの化粧パネルによって構成されている。２枚の側面パネル３３ｃ，３３ｃは、支持フレーム２０の前面上において、上下方向が縦幅方向となり、前後方向が横幅方向となるように配置されている。
【００４８】
２枚の側面パネル３３ｃ，３３ｃは、２枚の棚パネル３３ａ，３３ａの左端部と右端部とに取り付けられている。各側面パネル３３ｃの上端面と下端面とには、該側面パネル３３ｃを２枚の棚パネル３３ａ，３３ａに取り付けるためのダボ４３が嵌まる各２つのダボ孔が形成されている。ダボ孔は、各側面パネル３３ｃの上端面と下端面において、前後２箇所に１つずつ形成されている。２枚の側面パネル３３ｃ，３３ｃは、上側の棚パネル３３ａの下面に形成された各２つのダボ孔に嵌め込まれた２つのダボ４３，４３を、上端面に形成された２箇所のダボ孔に嵌めて接着剤で接着し、下側の棚パネル３３ａの上面に形成された各２つのダボ孔に嵌め込まれた２つのダボ４３，４３を、下端面に形成された２箇所のダボ孔に嵌めて接着剤で接着することにより、２枚の棚パネル３３ａ，３３ａに取り付けられている。
【００４９】
このように、棚部３３は、上下に配置される２枚の棚パネル３３ａ，３３ａの間に、２枚の背面パネル３３ｂ，３３ｂと左右の側面パネル３３ｃ，３３ｃとをダボ４３で取り付けることにより、前面が開口した箱状に形成されている。棚部３３は、このように箱状に組み立てられた状態で、支持フレーム２０の下部で第２パネル３２の下方に取り付けられている。本実施形態１では、棚部３３は、２枚の背面パネル３３ｂ，３３ｂを各２本のビス４２，４２で一対の縦桟２１，２１に固定することにより、支持フレーム２０に取り付けられている。
【００５０】
棚受部３４は、角材の表面に第１パネル３１と同様の化粧シート又は単板を貼り付けた化粧材によって構成されている。本実施形態１では、棚受部３４は、第１パネル３１の基材と同様の材料で、長さ８００ｍｍの３００ｍｍ角の角材を形成し、その表面に化粧シート又は単板を貼り付けることによって構成されている。棚受部３４は、支持フレーム２０の前面上において、左右方向が長さ方向となるように配置されている。
【００５１】
棚受部３４は、支持フレーム２０の下部で棚部３３の下方に取り付けられている。棚受部３４の背面には、該棚受部３４を一対の縦桟２１，２１に取り付けるためのダボ４１ｆが嵌まる２つのダボ孔が形成されている。ダボ孔は、棚受部３４の背面において、左端部と右端部の２箇所に１つずつ形成されている。棚受部３４は、一対の縦桟２１，２１の下部に形成された各１つのダボ孔に嵌め込まれた２つのダボ４１ｆ，４１ｆを、背面に形成された２箇所のダボ孔に嵌め、接着剤で接着することにより、一対の縦桟２１，２１に取り付けられている。
【００５２】
第３パネル３５は、第１パネル３１と同様に、基材の表面に化粧シート又は単板を貼り付けた化粧パネルによって構成されている。また、第３パネル３５は、第１パネル３１と同様に、一対の縦桟２１，２１から外側へはみ出すように、一対の縦桟２１，２１の間隔より幅広の化粧パネルによって構成されている。具体的には、本実施形態１では、第３パネル３５は、縦幅が３２０ｍｍ、横幅が８００ｍｍ、厚さ３００ｍｍの化粧パネルによって構成されている。第３パネル３５は、支持フレーム２０の前面上において、上下方向が縦幅方向となり、左右方向が横幅方向となるように配置されている。
【００５３】
第３パネル３５は、支持フレーム２０の下端部で棚受部３４の下方に、棚受部３４と左右端面がそれぞれ揃うように取り付けられている。第３パネル３５の背面には、該第３パネル３５を一対の縦桟２１，２１に着脱自在に取り付けるための磁石５２が取り付けられている。磁石５２は、第３パネル３５の背面において、左端部の上部、左端部の下部、右端部の上部、右端部の下部の４箇所に１つずつ取り付けられている。磁石５２は、各縦桟２１に形成された各凹部５３に嵌まる円柱形状に形成され、各凹部５３内において該凹部５３の底面に取り付けた磁石５１と吸着する大きさに形成されている。
【００５４】
第３パネル３５は、背面に取り付けられた磁石５２が、一対の縦桟２１，２１の前面に形成された各凹部５３内において該凹部５３の底面に取り付けられた磁石５１に吸着することにより、一対の縦桟２１，２１に着脱自在に取り付けられている。このような構成により、第３パネル３５は、一対の縦桟２１，２１の下端部と壁面Ｗとで区画される下部空間の前面を開閉可能に構成されている。
【００５５】
以上のように、上下方向に並び、支持フレーム２０に取り付けられる第１パネル３１と第２パネル３２と棚部３３と棚受部３４と第３パネル３５とにより、本体部３０が構成されている。また、本体部３０の構成要素のうちの第１パネル３１と第２パネル３２と棚部３３の背面パネル３３ｂ，３３ｂと棚受部３４と第３パネル３５とにより、本発明に係る壁面Ｗに沿う壁体が構成される。また、第１パネル３１と第２パネル３２と棚部３３の背面パネル３３ｂ，３３ｂと棚受部３４と第３パネル３５とは、一対の縦桟２１，２１の壁面Ｗの逆側において上下方向に並べられ、該一対の縦桟２１，２１にそれぞれ取り付けられて壁面Ｗに沿う壁体を構成する複数の壁構成材を構成する。
【００５６】
以上のような構成により、本体部３０（壁体）は、支持フレーム２０により、該支持フレーム２０の厚さ（本実施形態１では３０ｍｍ）分だけ壁面Ｗから浮かせた状態で該壁面Ｗに取り付けられることとなる。また、本実施形態１では、支持フレーム２０の２本の横桟２２，２２を、第２パネル３２の挿通孔３２ａ，３２ａ及び棚部３３の開口３３ｄよりも高い位置に形成している。このような構成により、一対の縦桟２１，２１の間で２本の横桟２２，２２の下方には、本体部３０（壁体）と壁面Ｗとによって挟まれた支持フレーム２０の厚さ分の薄い収容空間が形成され、挿通孔３２ａ，３２ａと開口３３ｄとは、この薄い収容空間に開口することとなる。このような構成により、挿通孔３２ａ，３２ａを介して薄型テレビ１に繋がる種々の配線を収容空間に導き、また、開口３３ｄを介して棚部３３の棚板３３ａに設けたＤＶＤレコーダ等の視聴覚機器の配線を上記収容空間に導き、該収容空間に収容することができる。その結果、薄型テレビ１や視聴覚機器を見栄え良く設置することができる。
【００５７】
−設置装置の設置方法−
以下、本発明に係る設置装置１０を壁面Ｗに取り付ける設置方法について説明する。
【００５８】
まず、支持フレーム２０を組み立てる。具体的には、２本の横桟２２，２２の両端面に形成されたダボ孔にダボ４０を嵌め込み、該ダボ４０を一対の縦桟２１，２１の上部と上下方向の中央部分とに形成されたダボ孔に嵌め、接着剤で接着する。支持フレーム２０は、このようにして梯子状に組み立てられる。
【００５９】
また、本実施形態１では、図５に示すように、支持フレーム２０の組み立て時に、棚受部３４を支持フレーム２０に取り付けておく。具体的には、一対の縦桟２１，２１の下部に形成された各１つのダボ孔に２つのダボ４１ｆ，４１ｆを嵌め込み、この２つのダボ４１ｆ，４１ｆを棚受部３４の背面に形成された２箇所のダボ孔に嵌め、接着剤で接着する。このように本実施形態１では、支持フレーム２０を壁面Ｗに取り付ける前に、棚受部３４が支持フレーム２０に取り付けられる。
【００６０】
次に、梯子状に組み立てられて棚受部３４が取り付けられた支持フレーム２０を、壁面Ｗに固定する。本実施形態１では、ビス等を用いることなく支持フレーム２０を接着剤のみで壁面Ｗに固定する。具体的には、支持フレーム２０の背面（２本の縦桟２１，２１の背面と２本の横桟２２，２２の背面）に接着剤を塗布し、支持フレーム２０の背面を壁面Ｗの所定の設置位置に押し付ける。壁面Ｗに壁紙等の化粧材が貼り付けられている場合には、壁面Ｗの支持フレーム２０が接着される部分の化粧材を予め剥がして素面を露出させ、露出した素面に接着剤が塗布された支持フレーム２０の背面を押し付ける。この状態で１時間以上養生させて接着剤を硬化させる。その結果、支持フレーム２０は、壁面Ｗに固定される。
【００６１】
なお、本実施形態１では、支持フレーム２０の下端面（２本の縦桟２１，２１の下端面）を床面Ｆから５０ｍｍ浮かせた位置を上記設置位置としている。そのため、壁面Ｗに固定された支持フレーム２０の一対の縦桟２１，２１と床面Ｆとの間には５０ｍｍの隙間が形成される。
【００６２】
次に、壁面Ｗに固定された支持フレーム２０に本体部３０の第１パネル３１、第２パネル３２、棚部３３、第３パネル３５をそれぞれ取り付ける。第１パネル３１、第２パネル３２、棚部３３、第３パネル３５は、いずれの部材から支持フレーム２０に取り付けてもよいが、本実施形態１では、上から順に取り付けることとする。
【００６３】
まず、第１パネル３１を支持フレーム２０に取り付ける。具体的には、一対の縦桟２１，２１の上部に形成された各２つのダボ孔にダボ４１ａ，４１ｂを嵌め込み、各ダボ４１ａ，４１ｂを第１パネル３１の背面に形成された４箇所のダボ孔に嵌め、接着剤で接着する。第１パネル３１は、このようにして支持フレーム２０の一対の縦桟２１，２１に取り付けられる。
【００６４】
次に、第２パネル３２を支持フレーム２０に取り付ける。具体的には、一対の縦桟２１，２１の上下方向の中程に形成された各３つのダボ孔にダボ４１ｃ〜４１ｅを嵌め込み、各ダボ４１ｃ〜４１ｅを第１パネル３１の背面に形成された６箇所のダボ孔に嵌め、接着剤で接着する。第２パネル３２は、このようにして支持フレーム２０の一対の縦桟２１，２１に取り付けられる。
【００６５】
次に、棚部３３を組み立て、支持フレーム２０に取り付ける。
【００６６】
まず、下側の棚パネル３３ａに２枚の背面パネル３３ｂ、３３ｂと２枚の側面パネル３３ｃ、３３ｃとを取り付ける。具体的には、下側の棚パネル３３ａの上面に形成された８つのダボ孔にダボ４３を嵌め込み、該８つのダボ４３を２枚の背面パネル３３ｂ，３３ｂ及び２枚の側面パネル３３ｃ，３３ｃの下端面に形成された各２つのダボ孔に嵌め、接着剤で接着する。これにより、下側の棚パネル３３ａに、２枚の背面パネル３３ｂ，３３ｂと２枚の側面パネル３３ｃ，３３ｃとが取り付けられる。
【００６７】
次に、２枚の背面パネル３３ｂ、３３ｂと２枚の側面パネル３３ｃ、３３ｃとに、上側の棚パネル３３ａを取り付ける。具体的には、２枚の背面パネル３３ｂ、３３ｂ及び２枚の側面パネル３３ｃ、３３ｃの上端面に形成された各２つのダボ孔にダボ４３を嵌め込み、計８つのダボ４３を上側の棚パネル３３ａの下面に形成された８つのダボ孔に嵌め、接着剤で接着する。これにより、２枚の背面パネル３３ｂ、３３ｂと２枚の側面パネル３３ｃ、３３ｃとに上側の棚パネル３３ａが取り付けられる。
【００６８】
次に、棚部３３を支持フレーム２０に取り付ける。まず、棚部３３を支持フレーム２０の前面上の第２パネル３２の下方の所定の設置位置に配置する。このとき、支持フレーム２０には、棚受部３４が先に取り付けられているため、棚部３３を棚受部３４の上に載せることで棚部３３は所定の設置位置に配置される。そして、２枚の背面パネル３３ｂ，３３ｂと一対の縦桟２１，２１とをビス４２で固定する。具体的には、左側の背面パネル３３ｂを左側の縦桟２１に２本のビス４２で固定し、右側の背面パネル３３ｂを右側の縦桟２１に２本のビス４２で固定する。棚部３３は、このようにして支持フレーム２０の一対の縦桟２１，２１に取り付けられる。
【００６９】
次に、第３パネル３５を支持フレーム２０に取り付ける。具体的には、第３パネル３５の背面に取り付けられた４つの磁石５２，５２，５２，５２が、一対の縦桟２１，２１の下端部に形成された対応する４つの凹部５３に嵌まるように、第３パネル３５を支持フレーム２０に押し付ける。これにより、各凹部５３内において、各凹部５３の底面に取り付けられた磁石５１と、各凹部５３内に挿入された磁石５１とが当接し、吸着する。
【００７０】
以上のようにして壁面Ｗに取り付けた支持フレーム２０に本体部３０を取り付けることにより、設置装置１０が壁面Ｗに取り付けられる。
【００７１】
−表示装置の設置例−
図１に示すように、設置装置１０の設置後、薄型テレビ１を吊り下げるための吊り下げ金具を第２パネル３２に固定し、この吊り下げ金具と薄型テレビ１の壁掛け用の係合部とを係合させ、薄型テレビ１を第２パネル３２に取り付ける。このように、薄型テレビ１を設置装置１０の壁面Ｗに沿う壁体の一部に取り付けることにより、薄型テレビ１は壁面Ｗに沿うように設置される。
【００７２】
ところで、上記設置装置１０では、本体部３０（壁体）は、支持フレーム２０により、該支持フレーム２０の厚さ（本実施形態１では３０ｍｍ）分だけ壁面Ｗから浮かせた状態で該壁面Ｗに取り付けられる。そして、本実施形態１では、支持フレーム２０の２本の横桟２２，２２が第２パネル３２の挿通孔３２ａ，３２ａ及び棚部３３の開口３３ｄよりも高い位置に形成されている。そのため、一対の縦桟２１，２１の間で２本の横桟２２，２２の下方には、本体部３０（壁体）と壁面Ｗとによって挟まれた支持フレーム２０の厚さ分の薄い収容空間が形成され、挿通孔３２ａ，３２ａと開口３３ｄとは、この薄い収容空間に開口する。そのため、薄型テレビ１に繋がる種々の配線を、挿通孔３２ａ，３２ａを介して上記収容空間に導き、該収容空間に収容することができる。また、棚部３３の棚板３３ａに設けたＤＶＤレコーダ等の視聴覚機器の配線も、開口３３ｄを介して上記収容空間に導き、該収容空間に収容させることができる。このように薄型テレビ１や視聴覚機器の配線類を収容空間に収容させることができるため、これらを見栄え良く設置することができる。
【００７３】
また、上記設置装置１０では、本体部３０の壁面Ｗに沿う壁体を構成する複数の壁構成材のうち、最下の壁構成材である第３パネル３５が、一対の縦桟２１，２１に着脱自在に取り付けられている。そのため、第３パネル３５を取り外すと、一対の縦桟２１，２１の下端部と壁面Ｗとで区画される上記収容空間の下部空間の前面が開口する。これにより、設置装置１０の設置後であっても、上記収容空間に収容された薄型テレビ１や視聴覚機器の配線類に容易にアクセスすることができる。そのため、薄型テレビ１や視聴覚機器を新しいものに取り替えたり増設したりする際に、配線作業を容易に行うことができる。
【００７４】
さらに、上記設置装置１０では、支持フレーム２０が、２本の縦桟２１，２１と床面Ｆとの間に隙間が形成されるように、床面Ｆから浮かせた状態で壁面Ｗに取り付けられている。そのため、上記収容空間内に電源コンセントやアンテナ線の接続部等がない場合に、縦桟２１と床面Ｆとの間の隙間を利用することにより、薄型テレビ１や視聴覚機器の配線を設置装置１０の外部に引き出し、外部の電源コンセントやアンテナ線の接続部に接続することができる。
【００７５】
−実施形態１の効果−
以上のように、本設置装置１０では、壁面Ｗに取り付けた一対の縦桟２１，２１に上下方向に並ぶ複数の壁構成材３１，３２，３３ｂ，３４，３５を取り付けて壁面に沿う壁体を構成し、該壁体を構成する１つの壁構成材（第２パネル３２）に、該壁体と壁面Ｗとの間に形成される収容空間に開口する表示装置（薄型テレビ１）の配線用の挿通孔３２ａ，３２ａを形成した。このような構成により、複数の壁構成材で構成される壁体と壁面Ｗとの間には、一対の縦桟２１，２１分の厚さの扁平な収容空間が形成される。また、表示装置の配線用の挿通孔３２ａ，３２ａがこの収容空間に開口するため、挿通孔３２ａ，３２ａが形成された壁構成材（第２パネル３２）に表示装置（薄型テレビ１）を取り付けることにより、表示装置（薄型テレビ１）に繋がる種々の配線を挿通孔３２ａ，３２ａから収容空間に導き、該収容空間に収容させることができる。よって、本設置装置１０によれば、表示装置（薄型テレビ１）に繋がる配線を露出させることなく、表示装置（薄型テレビ１）を見た目良く壁面Ｗに沿わせて設置することができる。
【００７６】
また、本設置装置１０では、壁面Ｗに沿う壁体を構成する複数の壁構成材３１，３２，３３ｂ，３４，３５のうちの最下の壁構成材（第３パネル３５）が、収容空間の下部前面を開閉可能に構成されている。そのため、本設置装置１０によれば、設置装置１０の設置後であっても、収容空間の下部を容易に露出させることができるため、収容空間に収容された表示装置（薄型テレビ１）の配線類に容易にアクセスすることができる。そのため、表示装置（薄型テレビ１）を新しいものに取り替えたり、別の視聴覚機器を増設したりする際に、その配線作業を容易に行うことができる。
【００７７】
また、本設置装置１０によれば、壁面Ｗに取り付けられる一対の縦桟２１，２１と、該一対の縦桟２１，２１に複数の壁構成材３１，３２，３３ｂ，３４，３５を取り付けて壁面Ｗに沿う壁体を構成することにより、壁体と壁面Ｗとの間に、一対の縦桟２１，２１分の薄い扁平な空間を形成し、該空間を表示装置（薄型テレビ１）の配線を収容する収容空間として用いることとしている。このような構成により、従来よりも設置装置１０をコンパクトに形成することができる。
【００７８】
以上により、本設置装置１０によれば、従来よりも施工容易で施工後も配線作業を容易に行うことができるコンパクトな表示装置の設置装置１０を提供することができる。
【００７９】
また、本設置装置１０では、一対の縦桟２１，２１が、床面Ｆとの間に隙間が形成されるように、床面Ｆから浮かせた状態で壁面Ｗに取り付けられている。そのため、表示装置（薄型テレビ１）の配線類が収容される収容空間内に電源コンセントやアンテナ線の接続部がない場合に、縦桟２１と床面Ｆとの間の隙間を利用することにより、表示装置（薄型テレビ１）の配線を設置装置１０の外部に引き出し、外部の電源コンセントやアンテナ線の接続部に接続することができる。
【００８０】
また、本設置装置１０では、一対の縦桟２１，２１を、接着剤で壁面Ｗに接着することとしたため、壁面Ｗの下地がない箇所にも容易に縦桟２１を取り付けることができる。つまり、設置装置１０を壁面Ｗの下地のない箇所にも据え付けることができる。
【００８１】
また、本設置装置１０では、最下の壁構成材（第３パネル３５）が、磁石５１，５２の磁力（吸引力）によって一対の縦桟２１，２１に取り付けられるように構成されている。そのため、最下の壁構成材（第３パネル３５）を引っ張るだけで、最下の壁構成材（第３パネル３５）を容易に一対の縦桟２１，２１から取り外すことができる。つまり、本設置装置１０によれば、磁石５１，５２を用いた容易な構成により、最下の壁構成材（第３パネル３５）を一対の縦桟２１，２１に着脱自在に取り付けることができ、この構成により、容易に収容空間の下部前面を開け閉めすることができる。
【００８２】
また、本設置装置１０では、複数の壁構成材の１つ（棚部３３の背面パネル３３ｂ，３３ｂ）に棚板（棚パネル３３ａ，３３ａ）が固定されている。そのため、本設置装置１０によれば、表示装置（薄型テレビ１）だけでなく、その他の視聴覚機器等の設置も可能となる。
【００８３】
また、本設置装置１０では、棚板（棚パネル３３ａ，３３ａ）が固定された背面パネル３３ｂ，３３ｂに、上記収容空間に開口する開口３３ｄを形成することとした。そのため、棚板（棚パネル３３ａ，３３ａ）に設置された機器に繋がる種々の配線を、開口３３ｄから収容空間に導き、該収容空間に収容させることができる。よって、本設置装置１０によれば、棚板（棚パネル３３ａ，３３ａ）に、視聴覚機器等の機器を、これらの機器に繋がる配線を露出させることなく、見た目良く設置することができる。
【００８４】
《その他の実施形態》
上記実施形態１では、壁面Ｗに沿う壁体を構成する複数の壁構成材のうちの最下の壁構成材（第３パネル３５）を、磁石５１，５２を用いて着脱自在に一対の縦桟２１，２１に取り付けることとしていた。しかしながら、最下の壁構成材（第３パネル３５）が、一対の縦桟２１，２１と複数の壁構成材３１，３２，３３ｂ，３４，３５で構成される壁体と壁面Ｗとで区画される収容空間の下部前面を開閉可能に構成されるのであれば、最下の壁構成材（第３パネル３５）の一対の縦桟２１，２１への取り付け手段は、上述の手段に限られない。例えば、磁石５１，５２の代わりに、最下の壁構成材（第３パネル３５）と一対の縦桟２１，２１との間に、一方が他方に嵌合する２つの部品を設けることにより、最下の壁構成材（第３パネル３５）を一対の縦桟２１，２１に着脱自在に取り付けることとしてもよい。また、蝶番等を用いることにより、最下の壁構成材（第３パネル３５）が収容空間の下部前面を開閉するように構成してもよい。
【００８５】
また、上記実施形態１では、複数の壁構成材の１つ（背面パネル３３ｂ，３３ｂ）に棚板（棚パネル３３ａ，３３ａ）が固定されていたが、本発明に係る設置装置１０は、棚板（棚パネル３３ａ，３３ａ）を備えないものであってもよい。つまり、実施形態１において、棚部３３を、第１パネル３１と同様のパネルで構成することとしてもよい。また、逆に、１つの壁構成材（棚部３３の背面パネル３３ａ，３３ａ）だけでなく、複数の壁構成材に棚板が取り付けられていてもよい。さらに、１つの壁構成材に取り付けられる棚板の枚数は、２枚に限られず、１枚でも３枚以上であってもよい。
【００８６】
また、上記実施形態１では、最下の壁構成材（第３パネル３５）は、一対の縦桟２１，２１に取り付けられた磁石５１，５１と、最下の壁構成材（第３パネル３５）に取り付けられた磁石５２との間に作用する磁力によって、一対の縦桟２１，２１に着脱自在に取り付けられていた。しかしながら、一対の縦桟２１，２１と最下の壁構成材（第３パネル３５）とを着脱自在に取り付ける構成はこれに限られない。磁石５１，５２の一方を、他方に吸着する金具等の吸着部材で構成することとしてもよい。つまり、最下の壁構成材（第３パネル３５）の背面に磁石５１と吸着する金具を設けてもよく、一対の縦桟２１，２１に磁石５２と吸着する金具を設けてもよい。また、磁石５１，５２の大きさ、形状、個数は上述のものに限られない。
【００８７】
また、上記実施形態１において、ダボ４０，４１ａ〜４１ｆ，４３を用いて２つの部材を固定していた箇所は、全てビスやその他の固定手段を用いて固定することができる。逆に、ビス４２を用いて一対の縦桟２１，２１に固定していた棚部３３の背面パネル３３ｂ，３３ｂを、ダボやその他の固定手段を用いて固定することも可能である。
【００８８】
なお、以上の実施形態は、本質的に好ましい例示であって、本発明、その適用物、あるいはその用途の範囲を制限することを意図するものではない。
【産業上の利用可能性】
【００８９】
以上説明したように、本発明は、薄形テレビやモニター等の表示装置を壁面に沿わせて設置する表示装置の設置装置について有用である。
【符号の説明】
【００９０】
１      薄型テレビ（表示装置）
１０      設置装置
２１      縦桟
３１      第１パネル（壁構成材）
３２      第２パネル（壁構成材）
３２ａ    挿通孔
３３ａ    棚パネル（棚板）
３３ｂ    背面パネル（壁構成材）
３４      棚受部（壁構成材）
３５      第３パネル（壁構成材）
５１      磁石（磁石、吸着部材）
５２      磁石（磁石、吸着部材）
【図１】
2020140179.tif 000003
【図２】
2020140179.tif 000004
【図３】
2020140179.tif 000005
【図４】
2020140179.tif 000006
【図５】
2020140179.tif 000007